(57)【要約】【課題】  たとえば使用直後のコップや歯ブラシをサイドキャビネットの収納ボックスに置いても、コップや歯ブラシから垂れ落ちた水が収納ボックスの底部にほとんど滞留することなく衛生的に保つことのできる洗面化粧台。【解決手段】  洗面ボールが設けられたカウンター部と、カウンター部の一方の側に配置されたサイドキャビネットとを備えている。サイドキャビネットには、洗面ボールよりも上方に水切り開口部（４ｈ）が形成された収納ボックス（４ｆ）が設けられ、洗面ボールの一部は水切り開口部の下方まで達している。収納ボックスの底板は、水切り開口部に向かって下側に傾斜している。また、収納ボックスは、一端の回転軸（４ｇ）を中心として回転しながら他端部分から先に前方へ突出するように構成された回転トレーである。【選択図】  図５
2005081028.tif 000002
【特許請求の範囲】
【請求項１】
洗面ボールが設けられたカウンター部と、
前記カウンター部の一方の側に配置されたサイドキャビネットとを備え、
前記サイドキャビネットには、前記洗面ボールよりも上方に水切り開口部が形成された収納ボックスが設けられ、
前記洗面ボールの一部は前記水切り開口部の下方まで達していることを特徴とする洗面化粧台。
【請求項２】
前記収納ボックスの底板は、前記水切り開口部に向かって下側に傾斜していることを特徴とする請求項１に記載の洗面化粧台。
【請求項３】
前記収納ボックスは、一端の回転軸を中心として回転しながら他端部分から先に前方へ突出するように構成された回転トレーであることを特徴とする請求項１または２に記載の洗面化粧台。
【発明の詳細な説明】
【技術分野】
【０００１】
本発明は、洗面化粧台に関し、特にサイドキャビネット形式の洗面化粧台に関するものである。
【背景技術】
【０００２】
正面に窓がある空間に洗面化粧台を設置する場合、カウンター部の後方にキャビネットが設けられた通常タイプの洗面化粧台では、正面の窓がキャビネットにより覆われ、窓からの採光が妨げられてしまう。そこで、従来、カウンター部の一方の側にサイドキャビネット（収納棚）を配置するサイドキャビネット形式の洗面化粧台が提案されている（たとえば特許文献１を参照）。
【０００３】
【特許文献１】実開昭５４−３１５３７号公報
【発明の開示】
【発明が解決しようとする課題】
【０００４】
従来のサイドキャビネット形式の洗面化粧台では、たとえば使用直後のコップや歯ブラシをサイドキャビネットの収納ボックスなどに置くことが多い。しかしながら、この場合、コップや歯ブラシから垂れ落ちた水が収納ボックスの底部に滞留して不衛生になり易いという不都合があった。
【０００５】
本発明は、前述の課題に鑑みてなされたものであり、サイドキャビネット形式の洗面化粧台において、たとえば使用直後のコップや歯ブラシをサイドキャビネットの収納ボックスに置いても、コップや歯ブラシから垂れ落ちた水が収納ボックスの底部にほとんど滞留することなく衛生的に保つことのできる洗面化粧台を提供することを目的とする。
【課題を解決するための手段】
【０００６】
前記課題を解決するために、本発明では、洗面ボールが設けられたカウンター部と、
前記カウンター部の一方の側に配置されたサイドキャビネットとを備え、
前記サイドキャビネットには、前記洗面ボールよりも上方に水切り開口部が形成された収納ボックスが設けられ、
前記洗面ボールの一部は前記水切り開口部の下方まで達していることを特徴とする洗面化粧台を提供する。
【０００７】
本発明の好ましい態様によれば、前記収納ボックスの底板は、前記水切り開口部に向かって下側に傾斜している。また、前記収納ボックスは、一端の回転軸を中心として回転しながら他端部分から先に前方へ突出するように構成された回転トレーであることが好ましい。
【発明の効果】
【０００８】
本発明では、洗面ボールが設けられたカウンター部の一方の側にサイドキャビネットが配置され、サイドキャビネットには洗面ボールよりも上方に水切り開口部が形成された収納ボックスが設けられ、洗面ボールの一部は水切り開口部の下方まで達している。したがって、たとえば使用直後のコップや歯ブラシをサイドキャビネットの収納ボックスに置いても、コップや歯ブラシから垂れ落ちた水が収納ボックスの底部にほとんど滞留することなく水切り開口部を介して洗面ボールの内部へ自然落下することになり、収納ボックスの内部を衛生的に保つことができる。換言すれば、使用直後の濡れた状態でコップや歯ブラシをサイドキャビネットの収納ボックスに置くことができる。
【０００９】
また、本発明では、収納ボックスの底板（底面）が水切り開口部に向かって下側に傾斜している構成を採用することにより、収納ボックス内の水を水切り開口部から洗面ボールに向かって確実に流出させることができる。また、本発明では、一端の回転軸を中心として回転しながら他端部分から先に前方へ突出するように構成された回転トレーの形態を収納ボックスに採用することにより、使用するときだけサイドキャビネットから前方へ引き出し且つ使用しないときにはサイドキャビネットの内側に納めることのできる使い勝手が良く且つ納まりの良い収納ボックスを実現することができる。
【発明を実施するための最良の形態】
【００１０】
本発明の実施形態を、添付図面に基づいて説明する。
図１は、本発明の実施形態にかかる洗面化粧台の基本的な構成を模式的に示す斜視図である。また、図２は、本実施形態の洗面化粧台の具体的な構成を概略的に示す図であって、（ａ）は上面図を、（ｂ）は正面図をそれぞれ示している。また、図３は、洗面ボールが設けられたカウンター部の構成を概略的に示す斜視図である。
【００１１】
また、図４は、洗面ボールの内部に配設されたトレーの構成を概略的に示す図である。また、図５は、上部キャビネットの具体的な構成を概略的に示す図であって、（ｂ）は正面図を、（ａ）は（ｂ）の線Ａ−Ａに沿った断面図をそれぞれ示している。また、図６は、図５（ｂ）の線Ｂ−Ｂに沿った上部キャビネットの断面図である。
【００１２】
図１および図２を参照すると、本実施形態の洗面化粧台は、洗面ボール１が設けられたカウンター部２と、カウンター部２の右側（洗面化粧台に正対して右側）に配置されたサイドキャビネット３とを備えている。サイドキャビネット３は、カウンター部２の上方に設けられた上部キャビネット４と、カウンター部２の下方に設けられた下部キャビネット５と、上部キャビネット４および下部キャビネット５の前側において三角形状の断面を有し且つその上下方向のほぼ全体に亘って延びるトールキャビネット６（図１では不図示）とにより構成されている。
【００１３】
本実施形態の洗面化粧台では、カウンター部２がサイドキャビネット３を貫通して（すなわち上部キャビネット４と下部キャビネット５との間に潜り込んで）洗面化粧台の幅方向のほぼ全体に亘って延び、カウンター部２の下方にはオープンスペースが形成されている。また、図２（ｂ）において明瞭に示されているように、洗面ボール１の一部は下部キャビネット５の上方まで達し、下部キャビネット５はカウンター部２への給水配管（不図示）およびカウンター部２からの排水配管（不図示）を収容している。
【００１４】
図２および図３を参照すると、カウンター部２には、洗面ボール１の後方のバックガード２ａと、洗面ボール１に水（または温水）を供給するための供給口を備えた水栓本体２ｂと、水栓本体２ｂからの水（または温水）の供給を制御するための水栓ハンドル２ｃとが設けられている。ただし、図３では、図面の明瞭化のために、水栓本体２ｂのための貫通孔２ｄおよび水栓ハンドル２ｃのための貫通孔２ｅだけを示し、水栓本体２ｂおよび水栓ハンドル２ｃの図示を省略している。
【００１５】
また、図２（ａ）に示すように、トールキャビネット６の前面６ａ（すなわちサイドキャビネット３の前面）には片開きの扉６ｂが取り付けられ、扉６ｂの前面にはトールキャビネット６の上下方向のほぼ全体に亘って延びるトールミラー７が取り付けられている。なお、扉６ｂの前面（すなわちサイドキャビネット３の前面）はカウンター部２の左側（洗面化粧台に正対して左側）に向かって斜めに形成され、扉６ｂは右側に設けられた回転軸を中心としてカウンター部２の左側に向かって開口するように構成されている。
【００１６】
さらに、図３に示すように、洗面ボール１の右側壁部には、水平方向に間隔を隔てて並んだ複数のオーバーフロー開口部２ｆが形成されている。また、洗面ボール１の右側の最深部には、図４に示すトレー８を設置するための一対のトレー台２ｇが設けられている。また、カウンター部２の前方の段差領域２ｈには幕板が取り付けられるか、あるいは幕板を取り付けない場合にはカウンター部２はこの段差無しで成形される。図３では、図面の明瞭化のために、一対のトレー台２ｇのうち、奥側のトレー台だけを示し、手前側のトレー台の図示を省略している。ちなみに、トレー８上には、洗面ボール１で使用するための石鹸やハンドソープなどが置かれる。
【００１７】
図５および図６を参照すると、上部キャビネット４の右側には蛍光灯設置スペース４ａが設けられ、蛍光灯設置スペース４ａの前方は蛍光灯カバー４ｂによって覆われ、蛍光灯カバー４ｂの下方には蛍光灯スイッチ４ｃなどが設けられている。また、上部キャビネット４の中段にはタオル掛け４ｄが水平方向に延びており、上部キャビネット４の中段から下端にかけて未使用のタオルを保管するためのタオルストックバー４ｅが鉛直方向に延びている。
【００１８】
さらに、上部キャビネット４の下端には水平方向に延びる回転トレー４ｆが設けられ、回転トレー４ｆの左側前方には回転軸４ｇが設けられている。こうして、回転トレー４ｆは、左側の回転軸４ｇを中心として回転しながら右側部分から先に前方へ突出するように構成されている。また、回転トレー４ｆの前面の下端近傍には、回転トレー４ｆの内部から外部へ水を導出するための水切り開口部４ｈが水平方向に細長く延びるように形成されている。回転トレー４ｆの内部には、コップや歯ブラシなどが置かれる。ここで、収納ボックスとしての回転トレー４ｆの水切り開口部４ｈは洗面ボール１よりも上方に形成され、洗面ボール１の一部は水切り開口部４ｈの下方まで達している。また、回転トレー４ｆの底板（底面）は、水切り開口部４ｈに向かって下側に傾斜している。
【００１９】
以上のように、本実施形態では、洗面ボール１が設けられたカウンター部２の右側にサイドキャビネット３が配置されている。また、サイドキャビネット３の一部を構成する上部キャビネット４には、洗面ボール１よりも上方に水切り開口部４ｈが形成された回転トレー４ｆが設けられている。また、洗面ボール１の一部は、水切り開口部４ｈの下方まで達している。
【００２０】
その結果、本実施形態のサイドキャビネット形式の洗面化粧台では、たとえば使用直後のコップや歯ブラシを収納ボックスとしての回転トレー４ｆに置いても、コップや歯ブラシから垂れ落ちた水が回転トレー４ｆの底部にほとんど滞留することなく、水切り開口部４ｈを介して洗面ボール１の内部へ自然落下することになり、回転トレー４ｆの内部を衛生的に保つことができる。
【００２１】
また、本実施形態では、収納ボックスである回転トレー４ｆの底板（底面）が水切り開口部に向かって下側に傾斜している構成を採用している。その結果、回転トレー４ｆ内の水を水切り開口部４ｈから洗面ボール１に向かって確実に流出させることができる。また、本実施形態では、収納ボックスとして、左側の回転軸４ｇを中心として回転しながら右側部分から先に前方へ突出するように構成された回転トレー４ｆの形態を採用している。その結果、使用するときだけサイドキャビネット３から前方へ引き出し且つ使用しないときにはサイドキャビネット３の内側に納めることのできる使い勝手が良く且つ納まりの良い収納ボックスを実現することができる。
【００２２】
上述したように、本実施形態のようなサイドキャビネット形式の洗面化粧台では、収納キャビネットがカウンター部の後方ではなく側方に設けられているので、例えば正面に窓が形成されている空間にも設置することが可能である。また、サイドキャビネット形式の洗面化粧台では、洗面ボールのサイズ（容積、開口寸法など）を小さくすることなく、洗面化粧台の奥行き寸法を例えば１５０ｍｍ程度小さく抑えることができる。
【００２３】
なお、上述の実施形態では、収納ボックスとして、左側の回転軸４ｇを中心として回転しながら右側部分から先に前方へ突出するように構成された回転トレー４ｆの形態を採用している。しかしながら、これに限定されることなく、たとえば使用直後のコップや歯ブラシを置くための収納ボックス具体的な構成については様々な変形例が可能である。
【図面の簡単な説明】
【００２４】
【図１】本発明の実施形態にかかる洗面化粧台の基本的な構成を模式的に示す斜視図である。
【図２】本実施形態の洗面化粧台の具体的な構成を概略的に示す図であって、（ａ）は上面図を、（ｂ）は正面図をそれぞれ示している。
【図３】洗面ボールが設けられたカウンター部の構成を概略的に示す斜視図である。
【図４】洗面ボールの内部に配設されたトレーの構成を概略的に示す図である。
【図５】上部キャビネットの具体的な構成を概略的に示す図であって、（ｂ）は正面図を、（ａ）は（ｂ）の線Ａ−Ａに沿った断面図をそれぞれ示している。
【図６】図５（ｂ）の線Ｂ−Ｂに沿った上部キャビネットの断面図である。
【符号の説明】
【００２５】
１  洗面ボール
２  カウンター部
２ａ  バックガード
２ｂ  水栓本体
２ｃ  水栓ハンドル
３  サイドキャビネット
４  上部キャビネット
４ａ  蛍光灯設置スペース
４ｂ  蛍光灯カバー
４ｃ  蛍光灯スイッチ
４ｄ  タオル掛け
４ｅ  タオルストックバー
４ｆ  回転トレー
５  下部キャビネット
６  トールキャビネット
７  トールミラー
８  トレー
【図１】
2005081028.tif 000003
【図２】
2005081028.tif 000004
【図３】
2005081028.tif 000005
【図４】
2005081028.tif 000006
【図５】
2005081028.tif 000007
【図６】
2005081028.tif 000008